(57)【要約】  【課題】  角出し工程に対して、眼レンズを据付けするための改良された方法を提供する。  【解決手段】  角出しのための眼レンズ据付け方法は、第１面および第２面を有する眼レンズを供給すること、第１レンズ面を固定する第１ブロックおよび第２レンズ面を固定する第２ブロックを設けることからなる。その方法は、次に第１ブロック上に接着剤層を配置すること、接着剤層と第１レンズ面との間に粘着特性を有するフィルムを配置すること、第１ブロックを第１レンズ面に押し付けかつ第２ブロックを第２レンズ面に押し付けることを含む。粘着特性を有するフィルムは、眼レンズがその角出し中にブロック内で滑らないように、接着剤層と第１レンズ面との間に十分な結合力を与える。【選択図】    図１
2005173527.tif 000002
【特許請求の範囲】
【請求項１】
角出しのための眼レンズ据付け方法であって、第１面および第２面を有する眼レンズを供給すること、第１レンズ面を固定する第１ブロックおよび第２レンズ面を固定する第２ブロックを供給すること、前記第１ブロック上に接着剤層を配置すること、該接着剤層と前記第１レンズ面との間に粘着特性を有するフィルムを配置すること、前記第１ブロックを前記第１レンズ面に押し付けかつ前記第２ブロックを前記第２レンズ面に押し付けることからなり、それによって粘着特性を有する前記フィルムは、前記眼レンズがその角出し中に前記両ブロック内で滑らないように、前記接着剤層と前記第１レンズ面との間に十分な結合力を与える、眼レンズ据付け方法。
【請求項２】
前記眼レンズは疎水性の反射防止被覆を前記第１面に有する、請求項１に記載の方法。
【請求項３】
前記接着剤層は両面接着剤層である、請求項１に記載の方法。
【請求項４】
粘着特性を有する前記フィルムは、ビニル化合物、ポリエチレン、ポリプロピレンからなる群から選択される、請求項１に記載の方法。
【請求項５】
粘着特性を有する前記フィルムはビニル化合物である、請求項１に記載の方法。
【請求項６】
前記第１ブロックは前記第１レンズ面にほぼ均等に圧力を加える形状をした面を有し、前記接着剤層は前記第１ブロック面に接着される、請求項１に記載の方法。
【請求項７】
前記眼レンズが前記第１ブロック、前記接着剤層、前記第１レンズ面上にある粘着特性を有する前記フィルム、前記第２レンズ面上にある前記第２ブロック間に保持されているときに、前記眼レンズの縁を研削することをさらに含む、請求項１に記載の方法。
【請求項８】
疎水性の反射防止被覆を有する眼レンズの据付けおよび角出し方法であって、
第１面および第２面を有する眼レンズを供給すること、ただし該眼レンズは少なくとも前記第１レンズ面に疎水性の反射防止被覆を有し、
前記第１レンズ面にほぼ均等な圧力を加える形状をした面を有する第１ブロックとおよび前記第２レンズ面に圧力を加える第２ブロックとを供給すること、
前記第１ブロック上に接着剤層を配置すること、
前記接着剤層と前記第１レンズ面との間に粘着特性を有するフィルムを配置すること、
前記第１ブロックを前記第１レンズ面に押し付けかつ前記第２ブロックを前記第２レンズ面に押し付けること、ならびに
前記眼レンズの縁を研削すること、
からなり、それによって粘着特性を有する前記フィルムは、前記眼レンズがその角出し中に前記両ブロック内で滑らないように、前記接着剤層と前記第１レンズ面との間に十分な結合力を与える、眼レンズの据付けおよび角出し方法。
【請求項９】
前記接着剤層は両面接着剤層である、請求項８に記載の方法。
【請求項１０】
粘着特性を有する前記フィルムは、ビニル化合物、ポリエチレン、ポリプロピレンからなる群から選択される、請求項８に記載の方法。
【請求項１１】
粘着特性を有する前記フィルムはビニル化合物である、請求項８に記載の方法。
【請求項１２】
第１レンズ面および第２レンズ面、前記第１レンズ面に固定する第１ブロックおよび前記第２レンズ面に固定する第２ブロック、前記第１ブロックと前記第１レンズ面との間にある接着剤層を有する眼レンズを角出しする据付けシステムにおいて、前記接着剤層と前記第１レンズ面との間に粘着特性を有するフィルムを設けることからなる改良。
【請求項１３】
粘着特性を有する前記フィルムは、ビニル化合物、ポリエチレン、ポリプロピレンからなる群から選択される、請求項１２に記載の方法。
【請求項１４】
粘着特性を有する前記フィルムはビニル化合物である、請求項１２に記載の方法。
【請求項１５】
第１面および第２面を有する眼レンズを据付けするための装置であって、第１レンズ面を固定する第１ブロックと、第２レンズ面を固定する第２ブロックと、前記第１ブロック上に配置された接着剤層と、該接着剤層と前記第１レンズ面との間に配置された粘着特性を有するフィルムとからなり、粘着特性を有する前記フィルムは、前記眼レンズがその角出し中に前記両ブロック内で滑らないように、前記接着剤層と前記第１レンズ面との間に十分な結合力を与える、据付け装置。
【請求項１６】
前記眼レンズは疎水性の反射防止被覆を前記第１レンズ面に有する、請求項１５に記載の装置。
【請求項１７】
前記接着剤層は両面接着剤層である、請求項１５に記載の装置。
【請求項１８】
粘着特性を有する前記フィルムは、ビニル化合物、ポリエチレン、ポリプロピレンからなる群から選択される、請求項１５に記載の装置。
【請求項１９】
粘着特性を有する前記フィルムはビニル化合物である、請求項１５に記載の方法。
【請求項２０】
前記第１ブロックは前記第１レンズ面にほぼ均等に圧力を加える形状をした面を有し、前記接着剤層は前記第１ブロック面に接着される、請求項１５に記載の装置。
【発明の詳細な説明】
【技術分野】
【０００１】
本発明は、角出し中に眼レンズを据付けするための方法、システム、装置に向けられ、特に、滑りやすい表面被覆を有するレンズに対して格別に有用な眼レンズを据付けするためのシステムに向けられている。
【背景技術】
【０００２】
眼レンズに対して適正に整形された縁を与えるために、眼レンズが眼鏡のフレームに適正に嵌合するように、角出し工具が長い間使用されてきた。これらの角出し工具は、レンズ面に貼り付けられたブロック間に眼レンズを捕らえ、眼鏡フレームの形状を有するフレーム案内を用いて、所望の形状を与えるように研削ホイールにレンズ縁を回転させる。このような角出し工具の１つは、Ｏｘｆｏｒｄ  Ｃｏｐｏｒａｔｉｏｎによって販売されているＥｄｇｅｍａｓｔｅｒである。ブロックを眼レンズの面に確実に保持するために、同時に眼レンズを傷めずにブロックから眼レンズの取外しを容易にするために、接着性パッドがブロックとレンズ面との間に採用されている。このようなシステムの１つは、３Ｍ  Ｃｏｍｐａｎｙから販売され、両面に接着剤を有する高密度ブチルゴム材料からなるＬＥＡＰシステムである。据付けテープに対する最近の改良は、米国特許第６，１４９，７５０号（特許文献１）に記録されている。そこでは、高分子支持体と圧力感応接着剤を有するテープが設けられている。高分子支持体側はブロックに取り付けられ、接着剤側はレンズ面に取り付けられる。
【０００３】
角出し工程中にレンズの面を保護する方法は、米国特許第５，４５１，２８１号（特許文献２）に開示されている。この方法は、レンズの中央部分を除いて、レンズ面が引っ掻かれないようにレンズ面にわたって粘着特性を有するフィルムを利用する。開口が粘着フィルムに設けられて据付け接着剤パッドがレンズ面に粘着することを許容する。類似のビニル粘着式フィルムが、他の処理中、例えば、眼鏡フレームに取り付けるためにレンズに穴を開けるさいに、レンズ面を保護するように用いられてきた。
【０００４】
特定の形式の被覆の開発は、上述したシステムによってレンズを適正に据付けすることに困難を来した。特に、超疎水性の反射防止（ＡＲ）被覆のような特定の被覆は、非常に滑りやすく、圧力感応接着剤にうまく接着しないので、上述した接着剤据付けパッドに採用された接着剤の形式は角出し研削中にレンズを確実に保持するのに有効ではない。その結果、実質的な滑りが起こり、角出し工程中にレンズを適切に固定すべき一般的な能力に欠けていた。
【特許文献１】米国特許第６，１４９，７５０号
【特許文献２】米国特許第５，４５１，２８１号
【発明の開示】
【発明が解決しようとする課題】
【０００５】
したがって、従来技術の問題および欠点を考慮して、本発明の目的は、角出し工程に対して眼レンズを据付けするための改良された方法を提供することにある。
【０００６】
本発明の別の目的は、滑りやすい被覆を有するレンズを据付けするための改良された工程システムおよび装置を提供することにある。
【０００７】
本発明のさらに別の目的は、角出し研削中に眼レンズを据付けするための方法、システム、装置であって、高度の結合を与えしかも取り外しが容易でかつレンズ面に傷を付けない方法、システム、装置を提供することにある。
【課題を解決するための手段】
【０００８】
当業者にとって明らかな上記およびその他の目的は、本発明の以下の方法において達成される。角出しのための眼レンズ据付け方法は、第１面および第２面を有する眼レンズを供給すること、第１レンズ面を固定する第１ブロックおよび第２レンズ面を固定する第２ブロックを供給することからなる。本方法は、次いで第１ブロック上に接着剤層を配置すること、接着剤層と第１レンズ面との間に粘着特性を有するフィルムを配置すること、第１ブロックを第１レンズ面に押し付けかつ第２ブロックを第２レンズ面に押し付けることを含む。粘着特性を有するフィルムは、眼レンズがその角出し中に両ブロック内で滑らないように、接着剤層と第１レンズ面との間に十分な結合力を与える。
【０００９】
本方法は、眼レンズが第１ブロック、接着剤層、第１レンズ面上にある粘着特性を有するフィルム、第２レンズ面上にある第２ブロック間に保持されているときに、眼レンズの縁を研削することをさらに含む。
【００１０】
別の観点においては、本発明は第１面および第２面を有する眼レンズを据付けするための装置を提供する。本装置は、第１レンズ面を固定する第１ブロックと、第２レンズ面を固定する第２ブロックとからなる。接着剤層が第１ブロック上に配置される。粘着特性を有するフィルムが接着剤層と第１レンズ面との間に配置される。粘着特性を有するフィルムは、眼レンズがその角出し中に両ブロック内で滑らないように、接着剤層と第１レンズ面との間に十分な結合力を与える。
【００１１】
第１ブロックは第１レンズ面にほぼ均等に圧力を加える形状をした面を有し、接着剤層は第１ブロック面に接着される。接着剤層は、好ましくは両面接着剤層である。
【００１２】
本発明の方法は、眼レンズが第１面に疎水性の反射防止被覆を有する場合に特に有用であるが、その被覆は他の形式の被覆されたまたは被覆されていないレンズと共に使用されてもよい。
【００１３】
粘着特性を有するフィルムは、ビニル化合物、ポリエチレン、ポリプロピレンからなる群から選択されてもよい。
【発明の効果】
【００１４】
容認された工夫に反して、本発明は眼レンズの面に接着剤層を貼り付けることを排除することによって、良好な据付け特性を提供する。それは円滑な被覆を有するレンズを据付けするために特に有用であり、また、高度の結合を与え、しかも容易に除去され、レンズ面を損傷させない。
【発明を実施するための最良の形態】
【００１５】
本発明の好適実施例を記載するにあたり、同じ番号は本発明の同様な構成要素を表す図面の図１−４を参照する。
【００１６】
好適角出しシステム２０は、眼レンズ３６の縁を研削するために、モータ（図示せず）によって軸２８のまわりに回転される研削ホイール２６を利用する。研削ホイール２６はダイヤモンド研削媒体を埋め込まれた面を有する真鍮から通常はつくられる。縁３７が眼鏡フレームの開口または形状に一致するように研削される眼レンズ３６は、前側凸状面３８ａおよび後側凹状面３８ｂを有する。フェルト面３３（図４）を有するブロック３２はシャフト２２に装着され、光軸付近でレンズの後側凹状面３８ｂに接触する。眼レンズ３６の反対側には、シャフト２４に着脱自在に取り付けられたブロック３０がレンズを接着剤パッド３４に向けた面に接着される。図２にさらに詳細に示すように、ブロック３０は、シャフト２４に関してブロック３０の回転を阻止するようにシャフト２４の一端に嵌合するキー部分３１を有する。接着剤パッド３４は、両面３４ａ、３４ｂに接着剤層を有する。このような接着剤は、レンズ面から容易に剥がされる常態では圧力感応接着剤である。シャフト２４の反対端において、眼鏡フレームの形状を有するフレーム案内４４が装着される。フレーム案内４４は固定部材に関して回転され、そのようにされたとき、シャフト２４および２２は研削ホイール２６に接近および離間されて、眼レンズ３６の縁３７が眼鏡フレームに一致するように整形される。
【００１７】
この点について記載された器具は、通常は縁研削内にあり、通常は接着剤パッド３４の側３４ｂにある接着剤は、眼レンズ３６の前側凸状面３８ａに直接に塗布される。しかし、従来技術に反して、本発明は接着剤パッド３４上の接着剤層とレンズ３６の前側凸状面３８ａとの間に中間フィルムまたは薄膜層４０を与える。このフィルム４０が、眼レンズ３６の面が被覆されていようがいまいが、眼レンズ３６の面に接着するように、このフィルム４０は粘着特性を有するように処理されている。このような粘着は、静的粘着として通常は言われている。粘着フィルムは、静的粘着特性を発揮するように与えられてもよいいかなる処理を除いて、圧力無感応またはその他の接着剤である。
【００１８】
本発明において有用な粘着式フィルムは、眼レンズの輪郭に一致できる柔軟な薄膜が好ましい。プラスチック・フィルム材料は、塩化ビニル、ポリビニル・アルコール、エチレン酢酸ビニル、アクリル、ポリエチレン、ポリプロピレンのようなビニル化合物、共重合体と上記のものの混合物を含む。このようなフィルムは、フィルムの全粘着特性がポリマの１またはそれを超える層および／または接着剤によって決定される状態にある多層材料でもよい。ビニル・フィルムはそれらのうちでも好適である。粘着式フィルムのシートは、接着剤パッド（接着剤層）３４よりもサイズが大きくなければならず、また、それが適用されるレンズの表面積よりも小さくなければならない。粘着フィルム４０は、約０．１３−０．３ｍｍ（約０．００５−０．０１２ｉｎ）、より好ましくは約０．２ｍｍ（０．００８ｉｎ）の厚みを有することが好ましい。
【００１９】
眼レンズ３６は、眼用途に通常用いられる任意の光学的に透明な材料からつくられ、代表的にはポリカーボネートのようなプラスチックである。本発明が最も有用である眼レンズは、Ｄａｉｋｉｎ  Ａｍｅｒｉｃａによって供給されるＯｐｔｏｏｌ−ＤＳＸのような超疎水性ＡＲ被覆を有するものである。本発明の据付けシステムは、複焦点レンズ、高インデックス、高ベース・カーブを有するその他のレンズについて有用である。ブロック３０は、支持されるべきレンズの面にほぼ一致する支持面３０ａを有する。多くの眼レンズが非常に高い曲率半径を有し、かつ、接着剤パッド（中間接着剤層）３４および粘着フィルム４０が通常は柔軟であるので、ブロック３０の支持面３０ａは実質的に平坦になる。表面の小さな溝は、その能力を低下させないでレンズに対して全表面にわたって実質的に均等な力を加える。
【００２０】
角出しのためにレンズを設置するさいに、まず接着剤パッド（接着剤層）３４がブロック３０の支持面３０ａに貼り付けられ、そして、ブロック３０がシャフト２４のチャックに取り付けられる。粘着フィルム４０はレンズ３６の曲面３８ａの中心に通常載せられるので、接着剤層がすでにレンズ上の定位置にある粘着式フィルムに次いで加えられる。ブロック３２およびフェルト面材料３３が凹面３８ｂに押し付けられかつブロック３０、接着剤層３４、および粘着フィルム４０が凸面３８ａに押し付けられた状態で、ブロック３０、３２がそれらの間にレンズを捕らえるように互いに押し付けられる。研削ホイール２６が回転され、レンズの縁３７が研削ホイール２６によって研削されるときに、適切な液体冷却剤がレンズの縁３７を冷却するように加えられる。
【００２１】
好適発明がレンズの凸状面３８ａに対して粘着フィルムを貼り付けているが、フィルム４０が凹面３８ｂに貼り付けられた状態で、据付けが逆形状のレンズに対して設定されてもよい。また、フィルム４０および接着剤層３４は、必要に応じて、レンズの両面に貼り付けられてもよい。
【００２２】
角出し作業を終了した後、ブロックは分離され、粘着フィルム４０が粘着特性を有していない引きタブ４２によって凸状面３８ａから引き剥がされ、凸状面３８ａにいかなる接着剤またはその他の痕跡をも残さない。
【図面の簡単な説明】
【００２３】
【図１】本発明の据付けを組み入れた好適エッジ研削システムの側面図である。
【図２】図１に用いられるブロックの斜視図である。
【図３】本発明の粘着特性を有するフィルムを適用した眼レンズ、接着剤パッド、およびブロックの斜視図である。
【図４】図１の眼レンズの分解側面図であって、本発明の据付けパッド、接着剤層、および粘着フィルムを示す。
【符号の説明】
【００２４】
２０    角出しシステム            ２２，２４    シャフト
２６    研削ホイール              ３０，３２    ブロック
３０ａ    支持面                  ３１    キー部分
３３    フェルト面                ３４    接着剤パッド（接着剤層）
３６    眼レンズ                  ３７    縁
３８ａ    前側凸状面              ３８ｂ    後側凹状面
４０    粘着フィルム層            ４２    引きタブ
４４    フレーム案内
【図１】
2005173527.tif 000003
【図２】
2005173527.tif 000004
【図３】
2005173527.tif 000005
【図４】
2005173527.tif 000006